(57)【要約】【課題】使い捨てのカートリッジで生化学反応を進める際に、外部のポンプを用いながら検体を注入した後は溶液を外部に出さずに自動的に生化学反応を進める装置の提供。【解決手段】検体を生化学処理するための溶液が内蔵された複数のチャンバを有するカートリッジと、カートリッジの各チャンバに通じる連通路の各々に接続されるノズル２０、２１と、ノズル２０、２１を介してカートリッジ内の空気圧を制御する制御部１７とを備え、制御部１７は、カートリッジ内の溶液がカートリッジ内のみを移動するように空気圧を制御する。【選択図】      図３
2004301767.tif 000002
【特許請求の範囲】
【請求項１】
検体を生化学処理するための溶液が内蔵された複数のチャンバを有するカートリッジと、
前記カートリッジの前記各チャンバに通じる連通路の各々に接続されるノズル部と、
前記ノズル部を介して前記カートリッジ内の空気圧を制御する制御部とを備え、
前記制御部は、前記カートリッジ内の溶液が当該カートリッジ内のみを移動するように前記空気圧を制御することを特徴とする生化学処理装置。
【発明の詳細な説明】
【０００１】
【発明の属する技術分野】
本発明は、検体中の細胞、微生物、あるいは染色体、核酸などを、抗原抗体反応や核酸ハイブリダイゼーション反応などの生化学反応を利用して分析する技術に関する。
【０００２】
【従来の技術】
血液等の検体の分析装置の多くは、抗原坑体反応を利用した免疫学的な方法、もしくは核酸ハイブリダイゼーションを利用した方法を用いている。こうした分析方法の例を挙げると、被検出物質と特異的に結合する抗体又は抗原などのタンパク質あるいは一本鎖の核酸をプローブとして微粒子、ビーズ、ガラス板などの固相表面に固定し、被検出物質と抗原抗体反応もしくは核酸ハイブリダイゼーションを行なわせる。そして酵素、蛍光性物質、発光性物質などの検知感度の高い標識物質を担持した特異的な相互作用を持つ標識化物質、例えば標識化抗体や標識化抗原又は標識化核酸などを用いて、抗原抗体化合物や二本鎖の核酸を検出して被検物質の有無を検出あるいは被検物質の定量を行うものである。
【０００３】
これらの技術を発展させたものとして、米国特許（ＵＳＰ）５，４４５，９３４号公報に、互いに異なる塩基配列を有する多数のＤＮＡ（デオキシリボ核酸）プローブを基板上にアレイ状に並べた、いわゆるＤＮＡアレイの記載がある。また、Ａｎａｌ．  Ｂｉｏｃｈｅｍ．、２７０（１）、１０３−１１１、１９９９には、多種類のタンパク質をメンブレンフィルター上に並べ、ＤＮＡアレイのような構成のタンパク質アレイの作製方法が開示されている。ＤＮＡアレイ、タンパク質アレイなどによって一度に極めて多数の項目の検査を行うことが可能になってきている。
【０００４】
また、様々な検体分析方法において、検体による汚染の軽減、反応の効率化、装置の小型化、作業の簡便化などの目的で、内部で必要な反応を行う、使い捨ての生化学反応カートリッジも提案され、特表平１１−５０９０９４号には、ＤＮＡアレイを含む生化学反応カートリッジ内に複数のチャンバーを有し、差圧によって溶液の移動を行い、内部で検体からのＤＮＡの抽出あるいは増幅、又はハイブリダイゼーションなどの反応を可能とした生化学反応カートリッジが開示されている。
【０００５】
そして、上記のような生化学反応カートリッジ内部に外部から溶液を流入する方法としては、外部のシリンジポンプや真空ポンプを利用したものがある。また、生化学反応カートリッジ内部で溶液を移動する方法としては、重力、毛細管現象、電気泳動を利用したものや、そして小型であるため生化学反応カートリッジ内部に配設できるマイクロポンプとして、特許第２８３２１１７号には発熱素子を利用したもの、特開２０００−２７４３７５号には圧電素子を利用したもの、特表平１１−５０９０９４号にはダイアフラムポンプが開示されている。
【０００６】
【特許文献１】
米国特許第５，４４５，９３４号
【特許文献２】
特表平１１−５０９０９４号
【特許文献３】
特許第２８３２１１７号
【特許文献４】
特開２０００−２７４３７５号
【非特許文献１】
Ａｎａｌ．  Ｂｉｏｃｈｅｍ．、２７０（１）、１０３−１１１、１９９９。
【０００７】
【発明が解決しようとする課題】
しかしながら、二次感染、汚染（コンタミ）を防ぐためと、使い勝手の点から、必要な溶液を内蔵した使い捨てのカートリッジを使うことが好ましいが、ポンプを内蔵したカートリッジでは高価になってしまう。
【０００８】
本発明は上述した問題に鑑みてなされたものであり、使い捨てのカートリッジで生化学反応を進める際に、外部のポンプを用いながら、ユーザが検体を注入したあとは溶液を外部に出さずに自動的に生化学反応を進める装置を提供することを目的とする。
【０００９】
【課題を解決するための手段】
上述の課題を解決し、目的を達成するための、本発明の各態様を以下に列挙する。
【００１０】
［態様１］
検体を生化学処理するための溶液が内蔵された複数のチャンバを有するカートリッジと、前記カートリッジの前記各チャンバに通じる連通路の各々に接続されるノズル部と、前記ノズル部を介して前記カートリッジ内の空気圧を制御する制御部とを備え、前記制御部は、前記カートリッジ内の溶液が当該カートリッジ内のみを移動するように前記空気圧を制御する。
【００１１】
［態様２］
上記態様１において、前記制御部は、前記複数のカートリッジに対して同時に空気圧を制御する。
【００１２】
［態様３］
上記態様１において、複数のノズル部を有するユニットが前記カートリッジ側に移動し、全ての連通路に前記ノズル部の各々が同時に接続される。
【００１３】
［態様４］
上記態様１において、前記制御部は、加圧と減圧の経時変化を制御する。
【００１４】
［態様５］
上記態様４において、前記加圧と減圧のタイミングをずらして前記経時変化の制御を行う。
【００１５】
［態様６］
上記態様４又は５において、前記制御部は、シリンジポンプを用いて前記経時変化の制御を行う。
【００１６】
［態様７］
検体を生化学処理するための溶液が内蔵された複数のチャンバを有するカートリッジをセットし、前記カートリッジの前記各チャンバに通じる連通路の各々にノズル部を接続し、前記カートリッジ内の溶液が当該カートリッジ内のみを移動するように前記カートリッジ内の空気圧を制御して生化学反応を発生させる。
【００１７】
【発明の実施の形態】
以下に、本発明の実施の形態について添付図面を参照して詳細に説明する。
【００１８】
図１に本実施形態における生化学反応カートリッジの外観図を示す。本実施形態の生化学反応カートリッジは、血液等の液体状の検体を注入して後述する処理装置にセットすると生化学反応カートリッジ内部でＤＮＡなどの抽出、増幅が行われ、増幅した検体ＤＮＡと生化学反応カートリッジ内部にあるＤＮＡマイクロアレイ上のＤＮＡプローブとのハイブリダイゼーション、ハイブリダイゼーションしなかった蛍光標識付きの検体ＤＮＡと蛍光標識の洗浄といった工程が行われる。
【００１９】
生化学反応カートリッジ１の本体はポリメタクリル酸メチル（ＰＭＭＡ）、アクリルニトリル−ブタジエン−スチレン（ＡＢＳ）、ポリスチレン、ポリカーボネート、ポリエステル、ポリ塩化ビニルなどの透明あるいは半透明のプラスチックで構成されている。生化学反応カートリッジ１内の反応物についての光学的な測定を必要としない場合は、透明な材質でなくとも良い。生化学反応カートリッジ１の上部には、血液等の検体を注射器を用いて注入する際の検体入口２の部分にゴムキャップが固定されている。また、側面には生化学反応カートリッジ１内の溶液を移動するためにノズルを挿入して加圧あるいは減圧を行う複数のノズル入口３が構成され、そこにゴムキャップが固定され、反対側の面も同じ構成になっている。
【００２０】
図２は図１の生化学反応カートリッジの平面断面図である。片側の側面には１０個のノズル入口３ａ〜３ｊがあり、反対側の側面にも１０個のノズル入口３ｋ〜３ｔがある。各ノズル入口は、空気が流れる空気流路４を介して、溶液を貯蔵する場所あるいは反応を起こす場所であるチャンバー５につながっている。但しノズル入口３ｎ、３ｐ、３ｑ、３ｓは本実施形態の工程では使わないのでチャンバーにつながっておらず、予備になっている。結局、ノズル入口３ａ〜３ｊは流路４ａ〜４ｊを介してチャンバー５ａ〜５ｊにつながり、反対側のノズル入口３ｋ、３ｌ、３ｍ、３ｏ、３ｒ、３ｔは、それぞれ流路４ｋ、４ｌ、４ｍ、４ｏ、４ｒ、４ｔを介してチャンバー５ｋ、５ｌ、５ｍ、５ｏ、５ｒ、５ｔにつながっている。
【００２１】
そして、チャンバー５ａ、５ｂ、５ｃ、５ｋはチャンバー７に、チャンバー５ｇ、５ｏはチャンバー８に、チャンバー５ｈ、５ｉ、５ｊ、５ｒ、５ｔはチャンバー９につながっている。さらにチャンバー７は流路１０を介してチャンバー８に、チャンバー８は流路１１を介してチャンバー９につながっている。流路１０にはチャンバー５ｄ、５ｅ、５ｆ、５ｌ、５ｍがそれぞれ流路６ｄ、６ｅ、６ｆ、６ｌ、６ｍを介してつながっている。また、チャンバー９の底面は角穴があけられ、そこにガラス基板で作製されたＤＮＡマイクロアレイ１２が下側からプローブ面が上になるように貼り付けられてチャンバー９が形成されている。
【００２２】
ＤＮＡマイクロアレイ１２は、１インチ四方程度のガラス板等の固相表面に、異なる種類のＤＮＡプローブが数十から数十万種高密度に並べてあるものである。このＤＮＡマイクロアレイ１２を用いて検体ＤＮＡとハイブリダイゼーション反応を行うことによって、一度に数多くの遺伝子の検査ができるという特徴をもつ。また、これらのＤＮＡプローブはマトリクス状に規則正しく並んでおり、それぞれのＤＮＡプローブのアドレス（例えば何行何列という位置）を情報として容易に取り出せるという特徴がある。検査の対象となる遺伝子としては、感染症ウイルス・細菌、疾患関連遺伝子の他、各個人の遺伝子多型等がある。
【００２３】
チャンバー５ａ、５ｂには、それぞれ細胞壁をこわすＥＤＴＡを含む第一の溶血剤、界面活性剤などのタンパク質変性剤を含む第二の溶血剤が蓄積されている。チャンバー５ｃにはＤＮＡが吸着するシリカコーティングされた磁性体粒子が蓄積され、チャンバー５ｌ、チャンバー５ｍには、ＤＮＡの抽出の際にＤＮＡの精製を行うために用いる第一、第二の抽出洗浄剤が蓄積されている。チャンバー５ｄにはＤＮＡを磁性体粒子から溶出する低濃度塩のバッファーからなる溶出液、チャンバー５ｇには、ＰＣＲで必要なプライマー、ポリメラーゼ、ｄＮＴＰ溶液、バッファー、蛍光剤を含むＣｙ−３  ｄＵＴＰなどの混合液が充填されている。チャンバー５ｈ、５ｊにはハイブリダイゼーションしなかった蛍光標識付きの検体ＤＮＡと蛍光標識とを洗浄するための界面活性剤を含む洗浄剤、チャンバー５ｉにはＤＮＡマイクロアレイ１２を含むチャンバー９内を乾燥させるためのアルコールが蓄積されている。
【００２４】
なお、チャンバー５ｅは血液のＤＮＡ以外のゴミが溜まるチャンバー、チャンバー５ｆはチャンバー５ｌ、５ｍの第一、第二の抽出洗浄剤の廃液が溜まるチャンバー、チャンバー５ｒは第一、第二の洗浄剤の廃液が溜まるチャンバーであり、チャンバー５ｋ、５ｏ、５ｔは溶液がノズル入り口に流れ込まないために設けたブランクのチャンバーである。
【００２５】
図３は生化学反応カートリッジ１内での溶液の移動や種々の反応を制御する処理装置である。テーブル１３は生化学反応カートリッジ１をセットする場所で、テーブル１３上には、生化学反応カートリッジ１内で検体からのＤＮＡなどを抽出する際に作動させる電磁石１４、検体からのＤＮＡをＰＣＲ（Ｐｏｌｙｍｅｒａｓｅ  Ｃｈａｉｎ  Ｒｅａｃｔｉｏｎ）などの方法で増幅させる際に温度制御するためのペルチェ素子１５、増幅した検体ＤＮＡと生化学反応カートリッジ内部にあるＤＮＡマイクロアレイ上のＤＮＡプローブとのハイブリダイゼーション、ハイブリダイゼーションしなかった検体ＤＮＡの洗浄を行う際に温度制御するためのペルチェ素子１６が配置され、これらは処理装置全体を制御する制御部１７に接続されている。テーブル１３の両側（図３の上下）には、電動シリンジポンプ１８、１９と、それらのポンプにより空気を吐出あるいは吸引を行う出入り口で片側１０個ずつある複数のポンプノズル２０、２１とを有するポンプブロック２２、２３が配置されている。電動シリンジポンプ１８、１９とポンプノズル２０、２１の間には、図示しない複数のよく知られた電動切替バルブが配置され、電動シリンジポンプ１８、１９と共に制御部１７に接続されている。制御部１７により、片側１０個のうちの１個ずつのポンプノズルを選択的に電動シリンジポンプ１８、１９に対してオープンになるようにしたり、すべてのポンプノズルをクローズにしたりする制御ができる。また、制御部１７は検査者が入力を行う入力部２４に接続されている。
【００２６】
本実施形態では血液を検体とし、検査者が血液を注射器を用いて検体入口２のゴムキャップを貫通させて注入すると、血液はチャンバー７に流れ込む。その後、検査者は生化学反応カートリッジ１をテーブル１３に置き、図示しないレバーを操作すると、不図示の機構によりポンプブロック２２、２３は図３の矢印の方向に移動し、ポンプノズル２０、２１がノズル入口３にゴムキャップを貫通して挿入される。
【００２７】
図２で説明したように、ノズル入口が生化学反応カートリッジの２つのエリアに集中しているので、電動シリンジポンプ、電動切替バルブ、ポンプノズルを内蔵したポンプブロック２２、２３の形状、配置が単純になる。さらに、両側の側面に集中してそれぞれ複数のノズル入口が設けられているので、必要なチャンバーや流路を確保しながら、ポンプブロック２２、２３で生化学反応カートリッジを同時に挟み込むという単純な動きで、ポンプノズル２０、２１を挿入することができ、ポンプブロック２２、２３の構成も簡単なものになる。そしてノズル入口はすべて同じ高さ、すなわち直線状に配置すると、ノズル入口に接続する流路の高さが全て同じになり、流路の作製が容易になる。
【００２８】
また、図３の処理装置で、複数（ｎ）個の生化学反応カートリッジ用にポンプブロック２２、２３をｎ倍に長くした構成にすれば、ｎ個の生化学反応カートリッジを直列に並べて、必要な工程をｎ個の生化学反応カートリッジに対して同時に行うことができ、極めて簡単な構成で多数の生化学反応カートリッジに対して生化学反応を行わせることができる。
【００２９】
検査者が入力部２４で処理開始の命令を入力すると、処理が始まる。図４は本実施形態の処理装置における処理手順を説明するフローチャートである。まずステップＳ１で、制御部１７はノズル入口３ａと３ｋのみをオープンにし、電動シリンジポンプ１８から空気を吐出し、電動シリンジポンプ１９から空気を吸引してチャンバー５ａの第一の溶血剤を血液の入ったチャンバー７に流し込む。このときに、溶血剤の粘性や流路の抵抗によるが、電動シリンジポンプ１９からの空気の吸引を、電動シリンジポンプ１８からの空気の吐出開始１０〜２００ｍＳ後に開始するように制御すると、流れる溶液の先頭で溶液が飛び出すことがなく、スムーズに溶液が流れる。このように空気の供給の制御のタイミングをずらして、加圧、減圧を制御して溶液をスムーズに流すだけではなく、電動シリンジポンプ１９からの空気の吸引を、電動シリンジポンプ１８からの空気の吐出開始時からリニアに増加するように制御するなど、細かな制御を行うことにより、さらにスムーズに流すことが可能になる。以下の溶液の移動についても同様である。空気の供給の制御は、シリンジポンプを用いることで容易に実現できたものである。そして、ノズル入口３ａと３ｏのみをオープンにし、電動シリンジポンプ１８と１９で空気の吐出、吸引を交互に繰り返し、チャンバー７の溶液を流路１０に流してその後戻す動作を繰り返して攪拌を行う。あるいは電動シリンジポンプ１９から空気の吐出を続けて気泡を発生させて攪拌しても良い。
【００３０】
図５は、図２のチャンバー５ａ、チャンバー７、チャンバー５ｋを通る断面図であり、ノズル入口３ａにポンプノズル２０が挿入されて加圧され、ノズル入口３ｋにポンプノズル２１が挿入されて減圧され、チャンバー５ａの第一の溶血剤が血液の入ったチャンバー７に流れ込む様子を示している。
【００３１】
図４に戻り、次にステップＳ２で、ノズル入口３ｂと３ｋのみをオープンにし、同様にしてチャンバー５ｂの第二の溶血剤をチャンバー７に流し込み、ステップＳ３ではノズル入口３ｃと３ｋのみをオープンにし、同様にしてチャンバー５ｃの磁性体粒子をチャンバー７に流し込む。ステップＳ２、Ｓ３ともＳ１と同様にして攪拌を行う。ステップＳ３では、磁性体粒子にステップＳ１、２で細胞が溶解して出てきたＤＮＡが磁性体粒子に付着する。
【００３２】
そして、ステップＳ４で電磁石１４をオンにし、ノズル入口３ｅと３ｋのみをオープンにし、電動シリンジポンプ２０から空気を吐出し、電動シリンジポンプ１９から空気を吸引してチャンバー７の溶液をチャンバー５ｅに移動する。この移動の際に磁性体粒子とＤＮＡが流路１０の電磁石１４の上で捕捉される。電動シリンジポンプ１８、１９の吸引、吐出を交互に繰り返して溶液をチャンバー７、５ｅ間を二回往復させてＤＮＡの捕捉効率を高める。回数をさらに増やすとさらに捕捉効率を高めることができるが、処理時間が余計にかかることになる。
【００３３】
このように、磁性体粒子を利用してＤＮＡを、幅１〜２ｍｍ程度、高さ０．２〜１ｍｍ程度の小さい流路上で、しかも流れている状態で捕捉するので、極めて効率良く捕捉することができる。捕捉ターゲット物質がＲＮＡあるいはタンパク質の場合も同様である。
【００３４】
次にステップＳ５で、電磁石１４をオフにし、ノズル入口３ｆと３ｌのみをオープンにし、電動シリンジポンプ１９から空気を吐出し、電動シリンジポンプ１７から空気を吸引してチャンバー５ｌの第一の抽出洗浄液をチャンバー５ｆに移動する。このとき、ステップＳ４で捕捉された磁性体粒子とＤＮＡが抽出洗浄液と共に移動して洗浄が行われる。ステップＳ４と同様にして二回往復した後、電磁石１４をオンにし、同様にして二回往復させて磁性体粒子とＤＮＡを流路１０の電磁石１４の上に回収し、溶液をチャンバー５ｌに戻しておく。
【００３５】
ステップＳ６で、ノズル入口３ｅと３ｍを用いてチャンバー５ｍの第二の抽出洗浄液に対して、ステップＳ５と同じ工程を行ってさらに洗浄する。ステップＳ７では電磁石１４をオンにしたまま、ノズル入口３ｆと３ｌのみをオープンにし、電動シリンジポンプ１８から空気を吐出し、電動シリンジポンプ１９から空気を吸引してチャンバー５ｄの溶出液をチャンバー８に移動する。このとき、溶出液の作用によって磁性体粒子とＤＮＡが分離し、ＤＮＡのみが溶出液と共にチャンバー８に移動し、磁性体粒子は流路１０に残る。以上のようにして、ＤＮＡの抽出、精製が行われる。抽出洗浄液が入ったチャンバーと洗浄後の廃液が入るチャンバーを用意したので、生化学反応カートリッジ１内でＤＮＡの抽出、精製を行うことが可能になった。
【００３６】
次にステップＳ８で、ノズル入口３ｇと３ｏのみをオープンにし、電動シリンジポンプ１７から空気を吐出し、電動シリンジポンプ１９から空気を吸引してチャンバー５ｉのＰＣＲ用薬剤をチャンバー８に流し込む。さらに、ノズル入口３ｇと３ｔのみをオープンにし、電動シリンジポンプ１８と１９で空気の吐出、吸引を交互に繰り返し、チャンバー７の溶液を流路１１に流してその後戻す動作を繰り返して攪拌を行う。そして、ペルチェ素子１５を制御して、チャンバー８内の溶液を９６℃の温度に１０分保った後、９６℃１０秒、５５℃１０秒、７２℃１分の工程を３０回繰り返し、溶出されたＤＮＡにＰＣＲを行って増幅する。
【００３７】
ステップＳ９では、ノズル入口３ｇと３ｔのみをオープンにし、電動シリンジポンプ１８から空気を吐出し、電動シリンジポンプ１９から空気を吸引してチャンバー８の溶液をチャンバー９に移動する。さらに、ペルチェ素子１６を制御して、チャンバー９内の溶液を４５℃で２時間保ってハイブリダイゼーションを行う。このとき、電動シリンジポンプ１８と１９で空気の吐出、吸引を交互に繰り返し、チャンバー９の溶液を流路６ｔに移動し、その後戻す動作を繰り返して攪拌を行いながらハイブリダイゼーションを進める。
【００３８】
次にステップＳ１０で、同じ４５℃を保ったまま、今度はノズル入口３ｈと３ｒのみをオープンにし、電動シリンジポンプ１８から空気を吐出し、電動シリンジポンプ１９から空気を吸引して、チャンバー９内の溶液をチャンバー５ｒに移動しながら、チャンバー５ｈの第一の洗浄液をチャンバー９を通してチャンバー５ｒに流し込む。電動シリンジポンプ１８、１９の吸引、吐出を交互に繰り返して溶液をチャンバー５ｈ、９、５ｒ間を二回往復させ、最後にチャンバー５ｈに戻す。このようにして、ハイブリダイゼーションしなかった蛍光標識付きの検体ＤＮＡと蛍光標識とが洗浄される。
【００３９】
図６は、図２のチャンバー５ｈ、チャンバー９、チャンバー５ｒを通る断面図であり、ノズル入口３ｈにポンプノズル２０が挿入されて加圧され、ノズル入口３ｒにポンプノズル２１が挿入されて減圧され、チャンバー５ｈの第一の洗浄液がチャンバー９を通してチャンバー５ｒに流れ込む様子を示している。
【００４０】
図４に戻り、ステップＳ１１では、同じ４５℃を保ったまま、ノズル入口３ｊと３ｒを用いてチャンバー５ｊの第二の洗浄液に対して、ステップＳ１０と同じ工程を行ってさらに洗浄し、最後にチャンバー５ｊに戻す。このように洗浄液が入ったチャンバー５ｈ、５ｊと洗浄後の廃液が入るチャンバー５ｒを用意したので、生化学反応カートリッジ１内でＤＮＡマイクロアレイ１２の洗浄を行うことが可能になった。
【００４１】
ステップＳ１２では、ノズル入口３ｉと３ｒのみをオープンにし、電動シリンジポンプ１８から空気を吐出し、電動シリンジポンプ１９から空気を吸引してチャンバー５ｉのアルコールをチャンバー９を通してチャンバー５ｒに移動する。その後、ステップＳ１３では、ノズル入口３ｉと３ｔのみをオープンにし、電動シリンジポンプ１８から空気を吐出し、電動シリンジポンプ１９から空気を吸引してチャンバー９内を乾燥させる。
【００４２】
この後、検査者が図示しないレバーを操作すると、不図示の機構によりポンプブロック２２、２３は生化学反応カートリッジ１から離れる方向に移動し、ポンプノズル２０、２１が生化学反応カートリッジ１のノズル入口３からはずれる。そして、検査者はこの生化学反応カートリッジを不図示の良く知られたスキャナーなどのＤＮＡマイクロアレイ用読み取り装置に挿入して測定、解析を行う。
【発明の効果】
以上説明したように、本発明によれば、装置側のポンプによりカートリッジ内の空気圧を制御し、カートリッジ内の溶液をそのカートリッジ内のみで移動させて必要な生化学反応を起こさせるので、安価でありながら溶液を外部に出さない使い捨てのカートリッジが可能となり、二次感染、汚染（コンタミ）の恐れがなくなる。さらに、カートリッジが必要な溶液を内蔵しているので、試薬・洗浄液を装置側に準備する必要がなくなり、省力と共に試薬の間違いがなくなるという効果もある。
【図面の簡単な説明】
【図１】本発明に係る実施形態の生化学反応カートリッジの外観図である。
【図２】図１の生化学反応カートリッジの平面断面図である。
【図３】本実施形態の生化学反応カートリッジ内での溶液の移動や種々の反応を制御する処理装置である。
【図４】本実施形態の処理装置における処理手順を説明するフローチャートである。
【図５】図２のチャンバー５ａ、チャンバー７、チャンバー５ｋを通る断面図である。
【図６】図２のチャンバー５ｈ、チャンバー９、チャンバー５ｒを通る断面図である。
【符号の説明】
１  生化学反応カートリッジ
２  検体入口
３  ノズル入口
４  空気流路
５、７〜９  チャンバー
６、１０、１１  流路
１２  ＤＮＡマイクロアレイ
１３  テーブル
１７  制御部
１８、１９  電動シリンジポンプ
２０、２１  ポンプノズル
２２、２３  ポンプブロック
【図１】
2004301767.tif 000003
【図２】
2004301767.tif 000004
【図３】
2004301767.tif 000005
【図４】
2004301767.tif 000006
【図５】
2004301767.tif 000007
【図６】
2004301767.tif 000008